【手続補正書】
【提出日】平成25年11月21日(2013.11.21)
【手続補正１】
【補正対象書類名】明細書
【補正対象項目名】発明の名称
【補正方法】変更
【補正の内容】
【発明の名称】画像処理装置、画像処理方法、プログラム、及び記憶媒体
【手続補正２】
【補正対象書類名】明細書
【補正対象項目名】０００１
【補正方法】変更
【補正の内容】
【０００１】
本発明は、多重露光撮影等の複数の撮影画像を重ね合わせる画像処理を行う画像処理装置、画像処理方法、プログラム、及び記憶媒体に関する。
【手続補正３】
【補正対象書類名】明細書
【補正対象項目名】０００７
【補正方法】変更
【補正の内容】
【０００７】
本発明は、複数枚の撮影画像を合成する場合に各撮影画像の撮影時情報を基にしてより適切な処理を行うことができる画像処理装置、画像処理方法、プログラム、及び記憶媒体を提供することを目的とする。
【手続補正４】
【補正対象書類名】明細書
【補正対象項目名】０００８
【補正方法】変更
【補正の内容】
【０００８】
本発明に係る画像処理装置は、複数の撮影画像の各々の撮影時情報を取得する取得手段と、前記複数の撮影画像を多重露光する際に、前記複数の撮影画像のそれぞれについて前記取得手段により取得された撮影時情報を解析して、前記複数の撮影画像に対して行う、多重露光及び露出補正の順序を選択する選択手段と、を備えることを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、複数の撮影画像を合成する場合に各撮影画像の撮影時情報を基にしてより適切な処理を行うことができる。
【手続補正８】
【補正対象書類名】特許請求の範囲
【補正対象項目名】全文
【補正方法】変更
【補正の内容】
【特許請求の範囲】
【請求項１】
複数の撮影画像の各々の撮影時情報を取得する取得手段と、
前記複数の撮影画像を多重露光する際に、前記複数の撮影画像のそれぞれについて前記取得手段により取得された撮影時情報を解析して、前記複数の撮影画像に対して行う、多重露光及び露出補正の順序を選択する選択手段と、を備えることを特徴とする画像処理装置。
【請求項２】
前記選択手段は、前記複数の撮影画像に第１の撮影画像と前記第１の画像よりも明るく撮影された第２の撮影画像が含まれる場合において、前記第１の撮影画像の合成比率を下げるとき及び前記第２の撮影画像の合成比率を上げるときには、前記第１の撮影画像と前記第２の撮影画像とを多重露光した後に露出補正し、前記第１の撮影画像と前記第２の撮影画像の合成比率を同じにするときには、前記第１の撮影画像を露出補正し、前記露出補正された撮影画像と前記第２の撮影画像とを多重露光することを特徴とする請求項１記載の画像処理装置。
【請求項３】
複数の撮影画像の各々の撮影時情報を取得する取得手段と、
前記複数の撮影画像を多重露光する際に、前記複数の撮影画像のそれぞれについて前記取得手段により取得された撮影時情報を解析して、前記複数の撮影画像の合成比率を変更する変更手段と、を備えることを特徴とする画像処理装置。
【請求項４】
前記変更手段は、前記撮影時情報から前記複数の撮影画像が類似したシーンを連続して撮影した撮影画像であると判断した場合に、前記複数の撮影画像の中の一部の撮影画像の合成比率を他の撮影画像よりも高くすることを特徴とする請求項３記載の画像処理装置。
【請求項５】
前記変更手段は、前記撮影時情報から前記複数の撮影画像の中に顔を含む撮影画像があると判断した場合に、顔を含まない撮影画像よりも顔を含む撮影画像の合成比率を高くすることを特徴とする請求項３記載の画像処理装置。
【請求項６】
複数の撮影画像の各々の撮影時情報を取得する取得手段と、
前記複数の撮影画像のＲＡＷ画像データを合成して合成ＲＡＷ画像データを生成する画像合成手段と、
前記複数の撮影画像のそれぞれについて前記取得手段により取得された撮影時情報を解析して、前記撮影時情報に含まれる、前記複数の撮影画像のＲＡＷ画像データをそれぞれ現像するための複数の現像パラメータの合成比率を算出する算出手段と、
前記算出手段により算出された合成比率を用いて前記複数の撮影画像のＲＡＷ画像データをそれぞれ現像するための複数の現像パラメータを合成し、合成現像パラメータを生成するパラメータ合成手段と、
前記パラメータ合成手段により生成された合成現像パラメータを用いて前記合成ＲＡＷ画像データを現像する現像手段と、を備えることを特徴とする画像処理装置。
【請求項７】
前記算出手段は、前記複数の撮影画像の中に他の撮影画像よりも明るい撮影画像があると判断した場合、前記明るい撮影画像の現像パラメータの合成比率を前記他の撮影画像の合成比率よりも高くすることを特徴とする請求項６記載の画像処理装置。
【請求項８】
前記撮影時情報は、顔の有無、顔の位置、顔の大きさ、色変換テーブル設定値、ホワイトバランス設定値、サムネイル情報、露光時間、絞り数値、撮影モード、ＩＳＯ感度、シャッター速度、調光補正、露出補正、レンズ情報、被写体までの距離、フラッシュ発光の状態、測光情報、カスタム設定情報、のうち少なくとも一つを含むことを特徴とする請求項１乃至７のいずれか１項に記載の画像処理装置。
【請求項９】
複数の撮影画像の各々の撮影時情報を取得することにより、前記撮影時情報が前記撮影画像に付加された画像データを複数重ね合わせて合成画像を生成する画像処理装置であって、
前記複数の撮影画像のそれぞれに付加されている撮影時情報を解析して、前記複数の撮影画像に対して行う、重ね合わせ及び露出補正の順序を選択する選択手段を備えることを特徴とする画像処理装置。
【請求項１０】
複数の撮影画像の各々の撮影時情報を取得することにより、前記撮影時情報が前記撮影画像に付加された画像データを複数重ね合わせて合成画像を生成する画像処理装置であって、
前記複数の撮影画像のそれぞれに付加されている撮影時情報を解析すると共に前記複数の撮影画像を重ね合わせる際の撮影画像それぞれの合成比率を変更する変更手段を備えることを特徴とする画像処理装置。
【請求項１１】
複数の撮影画像の各々の撮影時情報を取得することにより、前記撮影時情報が前記撮影画像に付加された画像データを複数重ね合わせて合成画像を生成する画像処理装置であって、
前記複数の撮影画像のＲＡＷ画像データを重ね合わせて合成ＲＡＷ画像データを生成する画像合成手段と、
前記複数の撮影画像のそれぞれに付加されている撮影時情報を解析し、前記撮影時情報に含まれる、前記複数のＲＡＷ画像データをそれぞれ現像するための複数の現像パラメータの合成比率を算出する算出手段と、
前記算出手段により算出された合成比率を用いて前記複数のＲＡＷ画像データをそれぞれ現像するための複数の現像パラメータを合成し、合成現像パラメータを生成するパラメータ合成手段と、
前記パラメータ合成手段により生成された合成現像パラメータを用いて前記合成ＲＡＷ画像データを現像する現像手段と、を備えることを特徴とする画像処理装置。
【請求項１２】
被写体像を撮影する撮影手段を更に備えることを特徴とする請求項１乃至１１のいずれか１項に記載の画像処理装置。
【請求項１３】
複数の撮影画像の各々の撮影時情報を取得する取得ステップと、
前記複数の撮影画像を多重露光する際に、前記複数の撮影画像のそれぞれについて前記取得ステップで取得された撮影時情報を解析して、前記複数の撮影画像に対して行う、多重露光及び露出補正の順序を選択する選択ステップと、を備えることを特徴とする画像処理方法。
【請求項１４】
複数の撮影画像の各々の撮影時情報を取得する取得ステップと、
前記複数の撮影画像を多重露光する際に、前記複数の撮影画像のそれぞれについて前記取得ステップで取得された撮影時情報を解析して、前記複数の撮影画像の合成比率を変更する変更ステップと、を備えることを特徴とする画像処理方法。
【請求項１５】
複数の撮影画像の各々の撮影時情報を取得する取得ステップと、
前記複数の撮影画像のＲＡＷ画像データを合成して合成ＲＡＷ画像データを生成する画像合成ステップと、
前記複数の撮影画像のそれぞれについて前記取得ステップで取得された撮影時情報を解析して、前記撮影時情報に含まれる、前記複数の撮影画像のＲＡＷ画像データをそれぞれ現像するための複数の現像パラメータの合成比率を算出する算出ステップと、
前記算出ステップで算出された合成比率を用いて前記複数の撮影画像のＲＡＷ画像データをそれぞれ現像するための複数の現像パラメータを合成し、合成現像パラメータを生成するパラメータ合成ステップと、
前記パラメータ合成ステップで生成された合成現像パラメータを用いて前記合成ＲＡＷ画像データを現像する現像ステップと、を備えることを特徴とする画像処理方法。
【請求項１６】
複数の撮影画像の各々の撮影時情報を取得することにより、前記撮影時情報が前記撮影画像に付加された画像データを複数重ね合わせて合成画像を生成する画像処理方法であって、
前記複数の撮影画像のそれぞれに付加されている撮影時情報を解析して、前記複数の撮影画像に対して行う、重ね合わせ及び露出補正の順序を選択する選択ステップを備えることを特徴とする画像処理方法。
【請求項１７】
複数の撮影画像の各々の撮影時情報を取得することにより、前記撮影時情報が前記撮影画像に付加された画像データを複数重ね合わせて合成画像を生成する画像処理方法であって、
前記複数の撮影画像のそれぞれに付加されている撮影時情報を解析すると共に前記複数の撮影画像を重ね合わせる際の撮影画像それぞれの合成比率を変更する変更ステップを備えることを特徴とする画像処理方法。
【請求項１８】
複数の撮影画像の各々の撮影時情報を取得することにより、前記撮影時情報が前記撮影画像に付加された画像データを複数重ね合わせて合成画像を生成する画像処理方法であって、
前記複数の撮影画像のＲＡＷ画像データを重ね合わせて合成ＲＡＷ画像データを生成する画像合成ステップと、
前記複数の撮影画像のそれぞれに付加されている撮影時情報を解析し、前記撮影時情報に含まれる、前記複数のＲＡＷ画像データをそれぞれ現像するための複数の現像パラメータの合成比率を算出する算出ステップと、
前記算出ステップで算出された合成比率を用いて前記複数のＲＡＷ画像データをそれぞれ現像するための複数の現像パラメータを合成し、合成現像パラメータを生成するパラメータ合成ステップと、
前記パラメータ合成ステップで生成された合成現像パラメータを用いて前記合成ＲＡＷ画像データを現像する現像ステップと、を備えることを特徴とする画像処理方法。
【請求項１９】
請求項１３乃至１８のいずれか１項に記載の画像処理方法をコンピュータに実行させるプログラム。
【請求項２０】
請求項１９記載のプログラムを格納することを特徴とするコンピュータ読み取り可能な記憶媒体。